【手続補正書】
【提出日】平成23年3月18日(2011.3.18)
【手続補正１】
【補正対象書類名】明細書
【補正対象項目名】００４４
【補正方法】変更
【補正の内容】
【００４４】
図８は、本願発明の１実施例による電源の回路図である。種々のサブ回路が、グループ化され、図１の実施例の記述に対応する参照番号で表示されている。図示のように、回路図は、ラインフィルター/幹線用ＡＣ整流器３７、スイッチ駆動回路２４、第１次側のスイッチング回路２６、第１次コイル１６および並行コンデンサ１７を有するタンク回路２１、第２次コイル１８、整流器２８、スイッチング回路３０、測定回路３２、絶縁回路３４ａおよび３４ｂ、第２次側のスイッチ駆動回路３６、および線形レギュレータ４０を含む。しかし、図８の実施例は、測定回路３２が絶縁回路３４を介して制御回路２２に接続されていないことで異なっている。むしろ、測定回路３２は、制御回路２２に直接的に接続されている。この代替は、極細線Ｄによって、図１に表示されている。測定回路３２は、アイソレーターを追加することで、制御回路２２から絶縁することができ、例えば、光結合器または光遮断器を、測定回路３２および制御回路２２との間に追加することで絶縁することができる。更に、図８のエレメント３４ａおよび３４ｂは、レベル・シフターとして機能することもできる。
【手続補正２】
【補正対象書類名】特許請求の範囲
【補正対象項目名】全文
【補正方法】変更
【補正の内容】
【特許請求の範囲】
【請求項１】
電源の動作を制御する制御回路および第１次を有する第１次側の回路と、
第２次および測定回路を有する第２次側の回路と、
前記第１次側の回路および前記第２次側の回路と結合する絶縁回路と、を備える電源であって、
前記絶縁回路は、前記測定回路と前記制御回路との通信を提供し、前記制御回路は、前記測定回路からの通信に対応して、前記電源の動作を調整するように構成されている、電源。
【請求項２】
前記第１次と前記第２次とは、少なくとも絶縁回路または空気のギャップを介して誘導的に結合している請求項１に記載の電源。
【請求項３】
前記第１次側回路は、直列共振のタンク回路を含み、該タンク回路は、前記第１次とコンデンサを含む、請求項１に記載の電源。
【請求項４】
前記第２次側回路は、前記第２次に電気的に接続する整流器を含み、該整流器は、前記第２次に誘導的に発生する電力を整流する、請求項１に記載の電源。
【請求項５】
前記第２次側回路は、スイッチング回路を含む、請求項１に記載の電源。
【請求項６】
前記制御回路は、前記測定回路からの通信情報に応じて、前記第２次側の前記スイッチング回路のために駆動波形を発生するように構成されている、請求項５に記載の電源。
【請求項７】
前記測定回路は、電圧センサーを含み、前記測定回路は、前記絶縁回路を介して測定電圧を前記制御回路に通信し、前記制御回路は、前記測定電圧に応じて、前記第２次側のスイッチング回路のために、前記駆動波形のディーティサイクルを変更するように構成されている、請求項５に記載の電源。
【請求項８】
前記測定回路は、電流センサーを含み、前記測定回路は、前記絶縁回路を介して測定電流を前記制御回路に通信し、前記制御回路は、前記測定電流が過電流の状態または電流不足の状態を示すとき、是正措置をとるように構成されている、請求項５に記載の電源。
【請求項９】
前記２次側の回路は、前記２次側のスイッチング回路に電気的に接続されるスイッチ駆動回路を含み、前記制御回路は、前記絶縁回路を介して前記スイッチ駆動回路に接続され、このため、前記制御回路は、前記２次側のスイッチング回路用の前記駆動波形を、前記第２次側のスイッチ駆動回路に適用する、請求項７に記載の電源。
【請求項１０】
前記２次側の回路は、前記第２次側の整流器に電気的に接続する線形レギュレータを含み、該線形レギュレータは、前記スイッチ駆動回路、前記測定回路、および前記絶縁回路の少なくとも１つに電力を供給する、請求項７に記載の電源。
【請求項１１】
前記１次および前記２次の少なくとも１つは、分割されたコイルであり、該分割されたコイルは、前記１次および前記２次のもう一方を挟む２つのコイル部分を含む、請求項１０に記載の電源。
【請求項１２】
電源の動作を制御する制御回路および第１次を有する第１次側の回路と、
第２次およびスイッチング回路を有する第２次側の回路であって、前記第１次および前記第２次は、空芯を介して誘導的に結合している、第２次側の回路と、
前記第１次側の回路および前記第２次側の回路と結合する絶縁回路と、を備える電源であって、
前記絶縁回路は、前記第１次側の回路と前記第２次側の回路との間の通信を提供し、前記制御回路は、前記絶縁回路を介して前記第２次側のスイッチング回路のための駆動波形を提供するのに適用される、電源。
【請求項１３】
前記第２次側の回路は、前記第２次に電気的に接続される整流器を含み、該整流器は、実質的にＤＣ出力を生成するために、前記第２次に誘導的に発生する電力を整流する、請求項１２に記載の電源。
【請求項１４】
前記第２次側のスイッチング回路は、前記整流器に結合し、前記第２次側のスイッチング回路は、前記ＤＣ出力からＡＣ出力を発生するように動作可能である、請求項１３に記載の電源。
【請求項１５】
前記第２次側のスイッチング回路は、フル・Ｈ−ブリッジのスイッチング回路である請求項１４に記載の電源。
【請求項１６】
前記第２次側の回路は、前記フル・Ｈ−ブリッジのスイッチング回路に結合するスイッチ駆動回路を含む請求項１５に記載の電源。
【請求項１７】
前記第２次側の回路は、電圧センサーを有する測定回路を含み、該測定回路は、前記絶縁回路を介して測定電圧を前記制御回路に通信し、前記制御回路は、前記測定電圧に応じて、前記第２次側のスイッチング回路のために、前記駆動波形のディーティサイクルを変更するように構成されている、請求項１６に記載の電源。
【請求項１８】
前記測定回路は、電流センサーを含み、前記測定回路は、前記絶縁回路を介して測定電流を前記制御回路に通信し、前記制御回路は、前記測定電流が過電流の状態または電流不足の状態を示すとき、是正措置をとるように構成されている、請求項１７に記載の電源。
【請求項１９】
前記制御回路は、前記絶縁回路を介して前記スイッチ駆動回路に結合され、そして、前記制御回路は、前記第２次側のスイッチング回路のための駆動波形を前記第２次側のスイッチ駆動回路に適用する、請求項１８に記載の電源。
【請求項２０】
第１のコイルと、
第１のコイル部分と第２のコイル部分とを含む第２のコイルであって、前記第１のコイル部分と前記第２のコイル部分とは、前記第１のコイルの相反する側に置かれ、このため、前記第１のコイルは、前記第１のコイル部分と前記第２のコイル部分との間に挟まれる、第２のコイルと、含む誘導結合。
【請求項２１】
前記第１のコイル、前記第１のコイル部分、および前記第２のコイル部分は、実質的に同一の広がりを持つ、請求項２０に記載の誘導結合。
【請求項２２】
前記第１のコイルは、内径と外径とを有し、前記第１のコイル部分および前記第２のコイル部分は、それぞれ内径と外径とを有し、
前記第１のコイルの内径、前記第１のコイル部分の内径、および前記第２のコイル部分の内径は、実質的に同一であり、前記第１のコイルの外径、前記第１のコイル部分の外径、および前記第２のコイル部分の外径は、実質的に同一である、請求項２０に記載の誘導結合。
【請求項２３】
電源線に電力を給電する電源の動作パラメータを確立するための方法であって、
前記電源線に１つ以上の遠隔電圧監視装置を接続するステップと、
前記１つ以上の遠隔電圧監視装置からの測定電圧をベースに通信するステップと、
前記電源線に沿った電力損失を決定するために、前記測定電圧を分析するステップと、
前記電力損失を補償するために、前記電源の動作パラメータを設定するステップと、を含む、動作パラメータ確立方法。
【請求項２４】
前記通信ステップは、前記１つ以上の遠隔電圧監視装置から前記ベースに前記測定電圧を無線通信することが更に規定される、請求項２３に記載の方法。
【請求項２５】
前記遠隔電圧監視装置を負荷に組み入れるステップを更に含み、前記遠隔電圧監視装置は、前記負荷とともに前記電源線を結合させた状態を維持する、前記請求項２４に記載の方法。
【請求項２６】
前記ベースと計算機とを相互接続させるために、ソフトウェアを実行する計算機に前記ベースを結合させるステップを更に含む、請求項２５に記載の方法。
【請求項２７】
前記電源は、ランドスケープ用照明電源として更に規定され、前記電源線は、複数のランドスケープ用照明器具の電源線として更に規定され、
前記接続ステップは、少なくとも１つのランドスケープ用照明器具の位置に近い前記電源線に、遠隔電圧監視装置を接続することが更に規定される、電源線請求項２３に記載の方法。
【請求項２８】
前記電源は、ランドスケープ用照明電源として更に規定され、前記電源線は、複数のランドスケープ用照明器具の電源線として更に規定され、
前記接続ステップは、前記電源から最も遠隔にあるランドスケープ用照明器具の位置に近い前記電源線に、遠隔電圧監視装置を接続することが更に規定される、電源線請求項２３に記載の方法。